(57)【要約】【課題】部品点数が少なく簡単な構成で、多数の操作ができるスライド式入力操作装置を提供する。【解決手段】第１の平面を有する第１の部品と、第２の平面を有する第２の部品とを、相対的にスライド移動することができるように組み合わせる。第１の平面には、スライド移動方向に沿って互いに離間する、第１および第２の入力電極と出力電極とが形成される。第２の平面には、第２の部品の第１の部品に対する相対的なスライド移動方向の移動に応じて、第１および第２の入力電極と出力電極とを橋渡ししない第１の状態、橋渡しする第２の状態、入力電極と出力電極とを橋渡しする第３の状態、の３状態を採るように橋渡し電極が形成される。第１および第２の入力電極には、互いに異なる入力信号を供給し、出力電極から得られる信号を監視して、スライド移動方向の操作および２段階の操作を検出する。【選択図】図１２
2008177105.tif 000002
【特許請求の範囲】
【請求項１】
第１の平面を有する第１の部品と、第２の平面を有する第２の部品とを、前記第１の平面と第２の平面とを対面させた状態で、前記第１の面または第２の面に平行な方向に、相対的にスライド移動することができるように組み合わせてなるスライド式入力操作装置であって、
前記第１の部品の前記第１の平面には、少なくとも一のスライド移動方向に沿って互いに離間する、少なくとも第１および第２の入力電極と、出力電極とが、形成され、
前記第２の部品の前記第２の平面には、前記第２の部品の前記第１の部品に対する相対的な前記一のスライド移動方向の移動に応じて、前記第１および第２の入力電極と前記出力電極とを橋渡ししない第１の状態、前記第１の入力電極と前記出力電極とを橋渡しする第２の状態、前記第２の入力電極と前記出力電極とを橋渡しする第３の状態、の３状態を採るように橋渡し電極が形成され、
前記第１の入力電極と、前記第２の入力電極には、互いに異なる入力信号を供給し、前記出力電極から得られる信号を監視して、前記第１の状態、前記第２の状態、前記第３の状態のいずれの状態であるかを判別することにより、前記一のスライド移動方向の操作および２段階の操作を検出する
ことを特徴とするスライド式入力操作装置。
【請求項２】
請求項１に記載のスライド式入力操作装置において、
前記第１の部品の前記第１の平面には、互いに異なる複数のスライド移動方向のそれぞれに対しては、それぞれ異なる出力電極が形成されていると共に、
前記第２の部品の前記第２の平面には、前記異なる複数のスライド移動方向のそれぞれに対して異なる前記橋渡し電極が形成されており、
前記互いに異なる複数のスライド移動方向のそれぞれについては、対応する前記出力電極からの信号をそれぞれ監視して、前記第１の状態、前記第２の状態、前記第３の状態のいずれの状態であるかを判別して、前記異なる複数のスライド移動方向のそれぞれの操作および２段階の操作を検出する
ことを特徴とするスライド式入力操作装置。
【請求項３】
請求項１に記載のスライド式入力操作装置において、
前記第１の部品の前記第１の平面には、互いに異なる複数のスライド移動方向の数よりも少ない数の異なる複数個の出力電極が形成されていると共に、
前記互いに異なる複数のスライド移動方向のそれぞれについては、対応する１個の前記出力電極から、あるいは複数個の前記出力電極の信号をそれぞれ監視して、前記第１の状態、前記第２の状態、前記第３の状態のいずれの状態であるかを判別して、前記異なる複数のスライド移動方向のそれぞれの操作および２段階の操作を検出する
ことを特徴とするスライド式入力操作装置。
【請求項４】
請求項３に記載のスライド式入力操作装置において、
前記第２の部品の前記橋渡し電極は、所定の形状の一つの電極で構成される
ことを特徴とするスライド式入力操作装置。
【請求項５】
請求項１に記載のスライド式入力操作装置において、
前記第１の部品と前記第２の部品との相対的なスライド移動に抗して、前記第１の部品に対する前記第２の部品の相対的な位置を所定の位置に常に偏倚させる偏倚手段を備える
ことを特徴とするスライド式入力操作装置。
【発明の詳細な説明】
【技術分野】
【０００１】
この発明は、例えば携帯電話端末のような携帯端末などに使用して好適な、省スペースでの多数の操作入力を可能にするスライド式入力操作装置に関する。
【背景技術】
【０００２】
携帯電話端末などの小型の電子機器には、多数の操作ボタンを設けるスペースが少ないことから、ユーザの操作入力を受け付けるために、一つのボタンで複数通りの入力操作を行なうことができる操作スイッチが用いられている。
【０００３】
例えば、特許文献１（特開２０００−２３６３８０号公報）には、十字型のマルチファンクションが示されており、上下左右の４方向に配置された押ボタン機能と、中央の決定ボタン機能を、一つのボタンにより、実現できるように構成されている。
【０００４】
また、特許文献２（特開２００３−５９３７４号公報）には、円形、多角形等の任意形状のスライド式入力操作装置が提案されており、このスライド式入力操作装置を利用して、省スペースで多数の操作ができるようにすることが記載されている。
【０００５】
上記の特許文献は、次の通りである。
【特許文献１】特開２０００−２３６３８０号公報
【特許文献２】特開２００３−５９３７４号公報
【発明の開示】
【発明が解決しようとする課題】
【０００６】
しかしながら、上記特許文献１に示されるマルチファンクションボタンでは、スライド移動操作ではなく単なる押下操作であるので、一つの方向についての操作で、２段階の操作をすることはできなかった。例えば、上方向のボタン操作による行送り操作を例にとると、従来は、上方向のボタン押下操作毎に、１行ずつ送るようにすると共に、上方向のボタンの長押し操作により高速スクロールを行なうような使用態様であり、低速のスクロールと高速のスクロールの２段階のスクロール操作を行おうとしても、それはできず、比較的面倒な操作が必要であった。
【０００７】
また、上記特許文献２で提案されているスライド式入力操作装置においても、上述のような２段階操作入力は、考慮されていないと共に、特許文献２では、ベースと、スライダーと、それらの間に介在される摺動コマと、可動接点ばね片とを組み合わせた構造であり、部品点数が多く、構成が複雑であるという問題もあった。
【０００８】
この発明は、以上の点にかんがみ、部品点数が少なく簡単な構成で、例えば上下左右の方向のそれぞれにおいて、２段階操作入力を可能にすることができるスライド式入力操作装置を提供することを目的とする。
【課題を解決するための手段】
【０００９】
上記の課題を解決するために、請求項１の発明によるスライド式入力操作装置は、
第１の平面を有する第１の部品と、第２の平面を有する第２の部品とを、前記第１の平面と第２の平面とを対面させた状態で、前記第１の部品と前記第２の部品とを、前記第１の面または第２の面に平行な方向に、相対的にスライド移動することができるように組み合わせてなるスライド式入力操作装置であって、
前記第１の部品の前記第１の平面には、少なくとも一のスライド移動方向に沿って互いに離間する、少なくとも第１および第２の入力電極と、出力電極とが、形成され、
前記第２の部品の前記第２の平面には、前記第２の部品の前記第１の部品に対する相対的な前記一のスライド移動方向の移動に応じて、前記第１および第２の入力電極と前記出力電極とを橋渡ししない第１の状態、前記第１の入力電極と前記出力電極とを橋渡しする第２の状態、前記第２の入力電極と前記出力電極とを橋渡しする第３の状態、の３状態を採るように橋渡し電極が形成され、
前記第１の入力電極と、前記第２の入力電極には、互いに異なる入力信号を供給し、前記出力電極から得られる信号を監視して、前記第１の状態、前記第２の状態、前記第３の状態のいずれの状態であるかを判別することにより、前記一のスライド移動方向の操作および２段階の操作を検出する
ことを特徴とする。
【００１０】
上述の構成のこの発明によるスライド式入力操作装置は、第１の部品と第２の部品との一のスライド移動方向において、第１の部品と第２の部品との電気的接続状態が第１の状態であると判別したときには、当該方向へのスライド移動は未だなされていないと認識する。
【００１１】
次に、第１の部品と第２の部品との電気的接続状態が第２の状態であるとは判別したときには、例えば第１の段階のスライド移動がなされた状態であると判別する。また、第１の部品と第２の部品との電気的接続状態が第３の状態であるとは判別したときには、例えば第２の段階のスライド移動がなされた状態であると判別する。
【００１２】
したがって、この発明のスライド式入力操作装置からの操作出力として、前記の判別出力を受けた装置は、当該第１段階のスライドの状態および第２段階のスライドの状態のそれぞれに対して割り付けられた所定の処理を行なうことができる。例えば、第１段階のスライド移動状態では、低速のスクロール送りを行い、第２段階のスライド移動状態では、高速のスクロール送りを行うようにすることができる。
【発明の効果】
【００１３】
この発明によれば、第１の部品と第２の部品により構成することができ、非常に簡単に構成できる。そして、第１の部品の、第２の部品に対するスライド移動の第１段階および第２段階を識別することができるので、一つ方向のスライド移動で、２段階の操作入力が可能になるという効果を奏する。
【００１４】
そして、この発明によれば、スライド移動を複数方向とすることも容易であるので、多数個の操作入力を、簡単な構成の一つの入力操作装置により実現することができる。
【発明を実施するための最良の形態】
【００１５】
以下、この発明によるスライド式操作入力装置の実施形態を、図を参照しながら説明する。
【００１６】
［第１の実施形態］
図１〜図１６は、この発明によるスライド式操作入力装置の第１の実施形態を説明するための図である。この第１の実施形態は、上下左右の４方向にスライド移動可能であると共に、当該上下左右のスライド移動のそれぞれにおいて、２段階にスライド移動操作入力が可能である場合である。
【００１７】
図１は、この実施形態のスライド式操作入力装置１０の全体の平面図（スライド移動操作の操作面側から見た図）である。また、図３は、図１のＡ−Ａ線断面図であり、図２は、図３のＢ−Ｂ線断面図である。
【００１８】
この実施形態のスライド式入力操作装置は、基本的には、第２の部品の例としてのスライド部１と、このスライド部１の後述するスライド移動に対するベース部（基部）を構成する第１の部品の例としてのスライドベース部２と、基台部３とから構成されている。基台部３は、スライド部１およびスライドベース部２が一体となって押下（決定キーとしての操作）されたときの押下のベース部（基部）を構成する。
【００１９】
これらスライド部１、スライドベース部２および基台部３は、絶縁性の材料、この例では、いずれも樹脂により構成されている。
【００２０】
スライド部１は、図２および図３に示すように、円柱状の中心柱部材１１を、その中心部に備える。中心柱部材１１は、この例では、中心線を共通にした大径円柱部１２と、小径円柱部１３とを備える。そして、大径円柱部１２の上には、スライド操作の操作面部材１４が取り付けられている。この例では、図１に示すように、操作面部材１４は、円板状部材とされ、大径円柱部１２の中心線は、操作面部材１４を構成する円板状部材の中心位置を通るように構成されている。操作面部材１４の大径円柱部１２との結合側とは反対側の面１４ａは、使用者が指でスライド操作するためのスライド操作面となる。
【００２１】
この例では、このスライド操作面１４ａには、図１に示すように、上下左右のスライド方向を示す矢印と、全体を押下することで決定操作キーとなることを示す□印とが、例えば印刷されて表示されている。
【００２２】
そして、図３に示すように、スライド部１の大径円柱部１２の、操作面部材１４側とは反対側の面１２ａ（面１２ａは、操作面部材１４のスライド操作面１４ａとほぼ平行）には、この例では、図４に示すように、上、下、左、右の位置に対応して、後述するように導電金属からなる橋渡し電極１５ａ、１５ｂ、１５ｃ、１５ｄが形成されている。橋渡し電極１５ａ、１５ｂ、１５ｃ、１５ｄのそれぞれは、この例では、図４に示すように、大径円柱部１２の面１２ａにおいて、大径円柱部１２の中心から半径方向に沿った方向を長手方向とするように放射状に形成されている。
【００２３】
そして、橋渡し電極１５ａ、１５ｂ、１５ｃ、１５ｄのそれぞれは、図４において黒く塗り潰して示すように、他の導電金属部分よりさらに面１２ａから直交する方向に突出する突出部分１６，１７を、その長手方向（後述するスライド移動方向）の両端部に備える。スライド部１の橋渡し電極１５ａ、１５ｂ、１５ｃ、１５ｄのそれぞれは、当該両端部の突出部分１６，１７のみにおいて、スライドベース部２の後述する電極と接触して、電気的接続を行なうように構成されている（後述する図６参照）。この例では、橋渡し電極１５ａ、１５ｂ、１５ｃ、１５ｄのそれぞれのスライド部１の中心側である一端側に突出部分１６が設けられ、橋渡し電極１５ａ、１５ｂ、１５ｃ、１５ｄのそれぞれのスライド部１の外周側である他端側には突出部分１７が設けられている。
【００２４】
以上のような構成のスライド部１は、中心柱部材１１の中心線方向に、スライドベース部２と組み合わされるが、その組み合わせ状態において、スライド部１が、スライドベース部２に対して、スライド操作面１４ａに沿う方向（面１４ａに平行な方向）にスライド移動可能とされる。
【００２５】
スライド部１と組合されるスライドベース部２は、全体として円板状の形状を備え、図２および図３に示すように、その中心部に、スライド部１の中心柱部材１１の小径円柱部１３を収納する凹部２１が形成されている。この凹部２１は、図２および図３に示すように、円柱状形状の凹部であり、その径は、スライド部１の中心柱部材１１の小径円柱部１３の外径よりも大きい値であって、スライド部１のスライド移動距離を考慮した十分な大きさとされている。
【００２６】
そして、図２および図３に示すように、スライド部１の中心柱部材１１の小径円柱部１３の側周面と、スライドベース部２の凹部２１の内周壁面との間には、複数個、図２の例では６個のばね２２が、スライドベース部２に対するスライド部１のスライド移動に抗する偏倚力をスライド部１に与える偏倚手段として設けられている。このばね２２により、スライド部１は、操作者が当該スライド部１を操作しないときには、スライドベース部２に対して、スライド部１の中心柱部材１１の小径円柱部１３の中心線位置が、常に、円柱状凹部２１の中心位置（ホームポジション）となるように偏倚されている。
【００２７】
なお、６個のばね２２の一端は、それぞれ、スライド部１の中心柱部材１１の小径円柱部１３の側周面に設けられている突起に係止され、また、他端は、それぞれ凹部２１の内周壁面に設けられている突起に係止されている。
【００２８】
以上により、スライド部１がスライドベース部２に、スライド移動可能に結合される状態になると共に、スライド部１がスライド移動操作されない状態では、ホームポジションにあるように構成される。
【００２９】
また、スライドベース２には、スライド部１の大径部１２を収納して、スライド部１をスライド移動させるための段差凹部２３が設けられている。そして、スライドベース部２の段差凹部２３の、スライド部１の大径部１２の面１２ａと対面する面２３ａには、この例では、図３および図５に示すように、互いに独立の環状電極２４と環状電極２５とが形成されると共に、スライド部１の大径部１２の面１２ａ上の橋渡し電極１５ａ、１５ｂ、１５ｃ、１５ｄに対応する上下左右の位置において、電極２６ａ，２６ｂ，２６ｃ，２６ｄが形成される。
【００３０】
ここで、面１２ａ上の橋渡し電極１５ａ、１５ｂ、１５ｃ、１５ｄと、面２３ａ上の環状電極２４、環状電極２５および電極２６ａ，２６ｂ，２６ｃ，２６ｄは、例えば、導電金属が、面１２ａおよび面２３ａ上に、導電パターンとして印刷あるいは被着形成されることにより設けられる。
【００３１】
そして、この実施形態では、スライドベース部２の段差凹部２３の面２３ａに形成されている電極２４，２５および電極２６ａ，２６ｂ，２６ｃ，２６ｄのそれぞれに対しては、面２３ａ側からスライドベース部２の中心線方向の、スライド部１との結合側とは他側の面２３ｃにまで至る貫通孔に導電部材が充填されて構成されたリード部２７，２８および２９ａ，２９ｂ，２９ｃ，２９ｄが接続されて設けられている。
【００３２】
これにより、スライドベース部２の中心線方向の、スライド部１との結合側とは他側の面２３ｃから、電極２４，２５および電極２６ａ，２６ｂ，２６ｃ，２６ｄのそれぞれに対して電気的に接続されるリード線（図示は省略）を導出することができるように構成されている。
【００３３】
なお、後述するように、電極２４、電極２５は、所定の第１信号Ｓ１、第２信号Ｓ２が入力される入力電極とされ、電極２６ａ，２６ｂ，２６ｃ，２６ｄのそれぞれは、スライド部１のスライド移動に応じて、橋渡し電極１５ａ，１５ｂ，１５ｃ，１５ｄを通じて、上記入力信号Ｓ１，Ｓ２を出力する出力電極とされるものである。
【００３４】
基台部３は、この実施形態では、四辺形の板状体３０に、円板状スライドベース部２の直径よりも若干長い内径（直径）の円柱状の凹部３１を備えたものであり、この凹部３１の中央部に、図３に示すように、スライドベース部２の中心部に設けられた突部２Ｃが嵌合される凹部３２が形成されている。
【００３５】
そして、この実施形態では、基台部３の凹部３２の底部には、スライドベース部２およびスライド部１を、中心柱部材１１の中心線方向にユーザが押下したときに、オンとなる自動復帰式押下スイッチ３４が設けられている。この実施形態では、スライドベース部２およびスライド部１の押下に対して、常に、スライドベース部２およびスライド部１が元の位置に復帰するようにための偏倚手段としてのばね３３が、基台部３の凹部３２内に設けられ、基台部３に対して、スライドベース部２を、図３において上方向側に偏倚するように設けられている。
【００３６】
この押下スイッチ３４のオン・オフ出力は、種々の用途に用いることができる。例えば、ユーザが、スライド部１を所定の方向にスライド移動させ、所定角度移動させた状態で、スライド部１およびスライドベース部２を押下して、押下スイッチ３４をオンさせたとき、そのオン操作は、決定キー（エンターキー）の操作とすることができる。
【００３７】
また、各スライド移動方向のそれぞれについての選択項目を複数個、割り当てておき、スライド部１およびスライドベース部２を押下して、押下スイッチ３４をオンさせるごとに、スライド移動により選択する選択項目を切り換えることができるようにすることもできる。
【００３８】
次に、この実施形態では、スライド部１の大径部１２は、スライドベース部２の段差凹部２３の段差壁２３ｂに突き当たるまで、スライド移動が可能となる。そして、スライド部１の各スライド方向のスライド移動状態に応じて当該スライド部１の橋渡し電極１５ａ，１５ｂ，１５ｃ，１５ｄが移動することによって、２個の入力電極２４，２５と、各スライド方向の出力電極２６ａ，２６ｂ，２６ｃ，２６ｄとの間の接続状態は、上下左右の各方向において、それぞれ３つの状態を採ることが可能である。
【００３９】
すなわち、図６は、スライド部１のスライド方向を上方向とした場合における、入力電極２４，２５と、当該上方向についての出力電極２６ｂおよび橋渡し電極１５ｂとの接続状態を示す図である。
【００４０】
この図６に示すように、橋渡し電極１５ｂの長手方向（上方向のスライド移動方向）の長さは、橋渡し電極１５ｂの他端の突出部分１７が、出力電極２６ｂの入力電極２５側の端部に接続されている状態においては、橋渡し電極１５ｂの一端１６が、入力電極２４，２５を跨いで、これら入力電極２４，２５と接続しない状態となる長さとされている。
【００４１】
そして、出力電極２６ｂの長手方向（上方向のスライド移動方向）の長さは、橋渡し電極１５ｂの一端の突出部分１６が、入力電極２５に接続されているときに、橋渡し電極１５ｂの他端の突出部分１７が、未だ、当該出力電極２６ｂに接続されている状態を維持するような長さとされている。
【００４２】
他の橋渡し電極１５ａ，１５ｃ，１５ｄと、出力電極２６ａ，２６ｃ，２６ｄとの関係についても、それぞれの電極１５ａ，１５ｃ，１５ｄおよび２６ａ，２６ｃ，２６ｄの長手方向が、それぞれ対応する左方向、右方向、下方向のスライド移動方向となる点が異なるのみで、橋渡し電極１５ｂと出力電極２６ｂとの関係と、全く同様に構成されるものである。
【００４３】
そして、図６（Ａ）は、スライド部１が操作者によりスライド移動されていないホームポジションにあるときの接続状態を示し、このときには、この例では、橋渡し電極１５ｂは、入力電極２４または入力電極２５と、出力電極２６ｂとの間を接続する状態とはなっておらず、出力電極２６ｂからは、信号出力は得られない。
【００４４】
次に、図６（Ｂ）は、スライド部１が操作者により上方向に、少しスライド移動された状態のときの接続状態を示しており、このときには、橋渡し電極１５ｂは、一端側の突出部分１６が入力電極２４に接続されると共に、他端側の突出部分１７が出力電極２６ｂに接続される状態を保持する。したがって、出力電極２６ｂからは、入力電極２４に供給される第１信号Ｓ１が出力される状態となる。この図６（Ｂ）の状態は、上方向のスライド移動において、入力電極２４のスライド移動方向（ここでは上方向）の長さ分だけ続くことになる。この図６（Ｂ）の状態となるスライド移動状態を、以下、第１の段階のスライド移動状態と呼ぶ。
【００４５】
次に、図６（Ｃ）は、スライド部１が操作者により上方向に、さらにスライド移動された状態のときの接続状態を示しており、このときには、橋渡し電極１５ｂは、一端側の突出部分１６が入力電極２５に接続されると共に、他端側の突出部分１７が出力電極２６ｂに接続される状態を保持する。したがって、出力電極２６ｂからは、入力電極２５に供給される第２信号Ｓ２が出力される状態となる。この図６（Ｃ）の状態は、この例では、上方向のスライド移動において、スライド部１の大径部１２の端縁が段差壁２３ｂに突き当たるまで続くように、入力電極２５のスライド移動方向（ここでは上方向）の長さ、および出力電極２６ｂの長さが選定されている。この図６（Ｃ）の状態となるスライド移動状態を、以下、第２の段階のスライド移動状態と呼ぶ。
【００４６】
図６（Ａ）、（Ｂ）、（Ｃ）は、上方向にスライド部１をスライド移動させたときにおける、スライド部１の橋渡し電極１５ｂと、スライドベース部２の入力電極２４，２５および出力電極２６ｂとの関係のみを図示したものであるが、スライド部１と、スライドベース部２との関係をも含めた状態の対応図を、図７、図８および図９に示す。なお、図７〜図９においては、説明のために、スライドベース部２の入力電極２４，２５および出力電極２６ａ，２６ｂ，２６ｃ，２６ｄは、スライド部１に隠れる部分も実線で示している。
【００４７】
すなわち、図７は、図６（Ａ）に示した非スライド移動状態（ホームポジション）のときの、スライド部１の橋渡し電極１５ａ，１５ｂ，１５ｃ，１５ｄと、スライドベース部２の入力電極２４，２５および出力電極２６ａ，２６ｂ，２６ｃ，２６ｄとの位置関係を示している。この図７に示すように、この非スライド移動状態（ホームポジション）においては、橋渡し電極１５ａ，１５ｂ，１５ｃ，１５ｄは、すべて、入力電極２４または入力電極２５と、出力電極２６ａ，２６ｂ，２６ｃ，２６ｄとを接続する状態とはなっていない。したがって、このときには、いずれの出力電極２６ａ，２６ｂ，２６ｃ，２６ｄからも信号出力は、得られない。
【００４８】
次に、図８は、図６（Ｂ）に示した上方向への第１段階のスライド移動状態のときの、スライド部１の橋渡し電極１５ａ，１５ｂ，１５ｃ，１５ｄと、スライドベース部２の入力電極２４，２５および出力電極２６ａ，２６ｂ，２６ｃ，２６ｄとの位置関係を示している。この図８に示すように、上方向への第１段階のスライド移動状態においては、橋渡し電極１５ｂの突出部分１６が入力電極２４に接続されると共に、橋渡し電極１５ｂの突出部分１７が出力電極２６ｂに接続されている他は、他の橋渡し電極１５ａ，１５ｃ，１５ｄは、すべて、入力電極２４または入力電極２５と、出力電極２６ａ，２６ｃ，２６ｄとを接続する状態とはならないように、各電極が構成されている。
【００４９】
したがって、この上方向の第１段階のスライド移動状態のときには、出力電極１５ｂのみから入力電極２４に供給される第１信号Ｓ１が得られることになる。
【００５０】
次に、図９は、図６（Ｃ）に示した上方向への第２段階のスライド移動状態のときの、スライド部１の橋渡し電極１５ａ，１５ｂ，１５ｃ，１５ｄと、スライドベース部２の入力電極２４，２５および出力電極２６ａ，２６ｂ，２６ｃ，２６ｄとの位置関係を示している。この図９に示すように、上方向への第２段階のスライド移動状態においては、橋渡し電極１５ｂの突出部分１６が入力電極２５に接続されると共に、橋渡し電極１５ｂの突出部分１７が出力電極２６ｂに接続されている他は、他の橋渡し電極１５ａ，１５ｃ，１５ｄは、すべて、入力電極２４または入力電極２５と、出力電極２６ａ，２６ｃ，２６ｄとを接続する状態とはならないように、各電極が構成されている。
【００５１】
したがって、この上方向の第２段階のスライド移動状態のときには、出力電極１５ｂのみから入力電極２５に供給される第２信号Ｓ２が得られることになる。
【００５２】
以上は、上方向のスライド移動におけるスライド部１の橋渡し電極１５ａ，１５ｂ，１５ｃ，１５ｄと、スライドベース部２の入力電極２４，２５および出力電極２６ａ，２６ｂ，２６ｃ，２６ｄとの位置関係を示したが、下方向、左方向、右方向についても、橋渡し電極と、出力電極とが、それぞれの方向のものに代わるだけで、全く同様の関係となるものであるので、その詳細な説明は省略する。
【００５３】
次に、以上説明したような構造を備えるスライド式入力操作装置１０を用いたスライド移動操作について、上述した上下左右のそれぞれのスライド移動方向の検出、および第１段階のスライド移動状態並びに第２段階のスライド移動状態の検出をするためのスライド操作検出システムの構成図を図１０に示す。
【００５４】
すなわち、このシステムにおいては、スライド式入力操作装置１０の他に、第１信号発生部４１と、第２信号発生部４２と、入力操作判定部４３とを設ける。そして、第１信号発生部４１の出力端子４１ａが、スライド式入力操作装置１０の入力電極２４に接続されて、第１信号発生部４１からの第１信号Ｓ１が入力電極２４に供給される。また、第２信号発生部４２の出力端子４２ａが、スライド式入力操作装置１０の入力電極２５に接続されて、第２信号発生部４２からの第１信号Ｓ２が入力電極２５に供給される。
【００５５】
この例においては、第１信号Ｓ１は、図１１（Ａ）に示すように、定電圧信号とされ、また、第２信号は、図１１（Ｂ）に示すように、所定周波数のクロック信号とされる。第１信号および第２信号は、この図１１に示すような信号に限られるものではなく、入力操作判断部４３で両信号Ｓ１，Ｓ２を区別して認識することができるような２つの信号であれば、どのような信号の組み合わせであっても良い。
【００５６】
そして、スライド式入力操作装置１０の出力電極２６ａ，２６ｂ，２６ｃ，２６ｄのそれぞれは、入力操作判断部４３の４個の入力端子４３ａ，４３ｂ，４３ｃ，４３ｄに接続される。
【００５７】
入力操作判断部４３は、４個の入力端子４３ａ，４３ｂ，４３ｃ，４３ｄのそれぞれへの入力信号の有無を判別し、入力信号が有ると判別した入力端子が４個の入力端子４３ａ，４３ｂ，４３ｃ，４３ｄのどれであるかにより、操作者によるスライド式入力操作装置１０におけるスライド移動方向を判断する。
【００５８】
また、入力操作判断部４３は、入力信号が有ると判別して、スライド移動方向を判断したときには、その入力信号が第１信号Ｓ１か第２信号Ｓ２のいずれであるかを判別し、その判別結果により、第１段階のスライド移動状態か、第２段階のスライド移動状態かを判断する。
【００５９】
そして、入力操作判断部４３は、以上の判断結果に基づいて、スライド移動の方向を示す情報と、第１段階のスライド移動状態または第２段階のスライド移動状態のいずれであるかを示す情報とを含む出力情報ＤＥＴを出力する。
【００６０】
この実施形態においては、図１２に示すように、入力操作判断部４３は、出力電極２６ｂに接続されている入力電極４３ｂに、入力信号が供給されたと判別したときには、スライド移動方向は上方向であると判断し、出力電極２６ｃに接続されている入力電極４３ｃに、入力信号が供給されたと判別したときには、スライド移動方向は右方向であると判断し、出力電極２６ｄに接続されている入力電極４３ｄに、入力信号が供給されたと判別したときには、スライド移動方向は下方向であると判断し、出力電極２６ａに接続されている入力電極４３ａに、入力信号が供給されたと判別したときには、スライド移動方向は左方向であると判断する。
【００６１】
そして、それぞれ入力信号が供給されたと判別したときには、当該入力信号が第１信号Ｓ１であると判別したときには、第１段階のスライド移動であると判断し、第２信号Ｓ２であると判別したときには、第２段階のスライド移動であると判断する。
【００６２】
すなわち、操作者が、スライド部１を上方向に第１段階のスライド移動操作をしたときには、スライド部１の橋渡し電極１５ａ，１５ｂ，１５ｃ，１５ｄとスライドベース部２の入力電極２４，２５および出力電極２６ａ，２６ｂ，２６ｃ，２６ｄとの位置関係は、図８に示したようになるので、スライド式入力操作装置１０は、等価的に、図１３（Ａ）に示すようなスイッチ切換状態になり、入力電極２４と出力電極２６ｂとが橋渡し電極１５ｂを通じて接続される状態となる。よって、入力操作判断部４３では、入力端子４３ｂに第１信号Ｓ１が入力されたと判別して、上方向の第１段階のスライド移動操作がなされたと判断される。
【００６３】
また、操作者が、スライド部１を上方向に第２段階のスライド移動操作をしたときには、スライド部１の橋渡し電極１５ａ，１５ｂ，１５ｃ，１５ｄとスライドベース部２の入力電極２４，２５および出力電極２６ａ，２６ｂ，２６ｃ，２６ｄとの位置関係は、図９に示したようになるので、スライド式入力操作装置１０は、等価的に、図１３（Ｂ）に示すようなスイッチ切換状態となり、入力電極２５と出力電極２６ｂとが橋渡し電極１５ｂを通じて接続される状態となる。よって、入力操作判断部４３では、入力端子４３ｂに第２信号Ｓ２が入力されたと判別して、上方向の第２段階のスライド移動操作がなされたと判断される。
【００６４】
同様にして、操作者が、スライド部１を下方向に第１段階のスライド移動操作をしたときには、スライド式入力操作装置１０は、等価的に、図１４（Ａ）に示すようなスイッチ切換状態となり、入力電極２４と出力電極２６ｄとが橋渡し電極１５ｄを通じて接続される状態となる。よって、入力操作判断部４３では、入力端子４３ｄに第１信号Ｓ１が入力されたと判別して、下方向の第１段階のスライド移動操作がなされたと判断される。
【００６５】
また、操作者が、スライド部１を下方向に第２段階のスライド移動操作をしたときには、スライド式入力操作装置１０は、等価的に、図１４（Ｂ）に示すようなスイッチ切換状態となり、入力電極２５と出力電極２６ｄとが橋渡し電極１５ｄを通じて接続される状態となる。よって、入力操作判断部４３では、入力端子４３ｄに第２信号Ｓ２が入力されたと判別して、下方向の第２段階のスライド移動操作がなされたと判断される。
【００６６】
また、操作者が、スライド部１を左方向に第１段階のスライド移動操作をしたときには、スライド式入力操作装置１０は、等価的に、図１５（Ａ）に示すようなスイッチ切換状態となり、入力電極２４と出力電極２６ａとが橋渡し電極１５ａを通じて接続される状態となる。よって、入力操作判断部４３では、入力端子４３ａに第１信号Ｓ１が入力されたと判別して、左方向の第１段階のスライド移動操作がなされたと判断される。
【００６７】
また、操作者が、スライド部１を左方向に第２段階のスライド移動操作をしたときには、スライド式入力操作装置１０は、等価的に、図１５（Ｂ）に示すようなスイッチ切換状態となり、入力電極２５と出力電極２６ａとが橋渡し電極１５ａを通じて接続される状態となる。よって、入力操作判断部４３では、入力端子４３ａに第２信号Ｓ２が入力されたと判別して、左方向の第２段階のスライド移動操作がなされたと判断される。
【００６８】
また、操作者が、スライド部１を右方向に第１段階のスライド移動操作をしたときには、スライド式入力操作装置１０は、等価的に、図１６（Ａ）に示すようなスイッチ切換状態となり、入力電極２４と出力電極２６ｃとが橋渡し電極１５ｃを通じて接続される状態となる。よって、入力操作判断部４３では、入力端子４３ｃに第１信号Ｓ１が入力されたと判別して、右方向の第１段階のスライド移動操作がなされたと判断される。
【００６９】
また、操作者が、スライド部１を右方向に第２段階のスライド移動操作をしたときには、スライド式入力操作装置１０は、等価的に、図１６（Ｂ）に示すようなスイッチ切換状態となり、入力電極２５と出力電極２６ｃとが橋渡し電極１５ｃを通じて接続される状態となる。よって、入力操作判断部４３では、入力端子４３ｃに第２信号Ｓ２が入力されたと判別して、右方向の第２段階のスライド移動操作がなされたと判断される。
【００７０】
なお、上述した第１信号発生部４１、第２信号発生部４２および入力操作判断部４３は、マイクロコンピュータで構成することが可能である。すなわち、マイクロコンピュータから、互いに異なる第１信号Ｓ１および第２信号Ｓ２をスライド式入力操作装置１０の入力電極２４，２５に供給し、スライド式入力操作装置１０の出力電極２６ａ，２６ｂ，２６ｃ，２６ｄからの信号をマイクロコンピュータが受けて、上述の入力操作判断部４３の判断処理をソフトウエアにより実行し、判定したスライド移動方向および第１段階または第２段階のそれぞれに割り当てられて制御を実行するように構成することができる。
【００７１】
マイクロコンピュータは、例えば、上方向のスライド移動操作を判定したときには、第１段階のスライド移動操作を、画面の低速のスクロール操作指示、また、第２段階のスライド移動操作を、画面の高速のスクロール操作指示と、それぞれ判断して、対応する画面のスクロール制御を行うようにする。
【００７２】
なお、入力操作判断部４３の出力情報ＤＥＴをマイクロコンピュータが受けて、同様のスクロール制御を行なうように構成することも勿論できる。
【００７３】
［第２の実施形態］
この第２の実施形態は、第１の実施形態とは、スライド部１の橋渡し電極と、スライドベース部２の入力電極および出力電極の構造および配置が異なるのみで、その他の構成は、全く同様である。そこで、この第２の実施形態の説明においては、電極以外で第１の実施形態で対応する部分には、同一番号を付すことにする。
【００７４】
図１７に、この第２の実施形態のスライド式入力操作装置５０を構成するスライドベース部２の、段差凹部２３の面２３ａ上に形成される入力電極および出力電極の配置構成例を示す。
【００７５】
すなわち、この第２の実施形態においては、入力電極は、２個の入力電極５１と５２とから構成されるが、出力電極は、３個の出力電極５３ａ、５３ｂ、５３ｃとから構成される。つまり、第２の実施形態では、出力電極の数が、第１の実施形態よりも１個少ない構成とされる。
【００７６】
そして、この第２の実施形態においては、入力電極５１は、図１７に示すように、段差凹部２３の面２３ａ上において単一の電極で構成される。しかし、入力電極５２は、図１７に示すように、段差凹部２３の面２３ａ上において４つの電極５２１，５２２，５２３，５２４に分割されて形成されている。
【００７７】
面２３ａ上の入力電極５１、また、入力電極５２を構成する４つの電極５２１，５２２，５２３，５２４および３個の出力電極５３ａ、５３ｂ、５３ｃは、例えば、導電金属が、面２３ａ上に、導電パターンとして印刷あるいは被着形成されることにより設けられる。
【００７８】
そして、図示は、省略するが、この第２の実施形態でも、第１の実施形態における図３に示したのと同様に、入力電極５１、入力電極５２を構成する４個の電極５２１，５２２，５２３，５２４および３個の出力電極５３ａ、５３ｂ、５３ｃのそれぞれに対しては、面２３ａ側からスライドベース部２の中心線方向の、スライド部１との結合側とは他側の面２３ｃにまで至る貫通孔に導電部材が充填されて構成されたリード部がそれぞれ接続されて設けられている。
【００７９】
そして、入力電極５２を構成する４個の電極５２１，５２２，５２３，５２４のそれぞれに接続されているリード部は、この例では、面２３ｃにおいて、例えば導電パターンにより互いに接続されて一つの共通リード部とされている。
【００８０】
これにより、スライドベース部２の中心線方向の、スライド部１との結合側とは他側の面２３ｃから、入力電極５１，５２および出力電極５３ａ，５３ｂ，５３ｃのそれぞれに対して電気的に接続されるリード線（図示は省略）を導出することができるように構成されている。
【００８１】
一方、スライド部１の大径部１２の面１２ａ上には、この第２の実施形態では、図１８に示すような「上」の字形状の１個の橋渡し電極６０が、例えば、導電金属が、導電パターンとして印刷あるいは被着形成されることにより設けられる。この例では、図１８に示すように、橋渡し電極６０は、「上」の字形状の下の横線が、スライド部１の中心を通るように形成される。したがって、「上」の字形状の橋渡し電極６０は、図１８においてスライド部１の面１２ａの上半分に全体が納まるように形成されている。
【００８２】
そして、この例では、橋渡し電極６０が大径部１２の面１２ａ上に形成された後に、大径部１２に対して小径部１３が結合される構成とされている。
【００８３】
そして、橋渡し電極６０において、図１９において黒く塗りつぶして示す部分６１，６２，６３，６４，６５，６６のそれぞれは、前述の第１の実施形態において図６を用いて説明したのと同様に、他の導電金属部分よりさらに面１２ａに直交する方向に突出する突出部分とされている。
【００８４】
突出部分６１と６２とは、「上」の字形状の下の横線の両端に形成されている。また、突出部分６３は、「上」の字形状の上の横線の先端に形成されている。また、突出部分６４は、「上」の字形状の上の横線と、中央の縦線との交差部に形成されている。また、突出部分６５と６６とは、突出部分６４を挟んで、「上」の字形状の中央の縦線の先端と中間部とに形成されている。
【００８５】
図１９は、スライドベース部２の上にスライド部１を結合し、スライド部１がホームポジション位置にあるときのスライドベース部２の面２３ａ上の各電極５１，５２（電極５２１〜５２４からなる）および５３ａ，５３ｂ，５３ｃと、スライド部１の橋渡し電極６０の各突出部分６１〜６６との位置関係を示している。なお、図１９では、分かりやすくするために、スライドベース２の面２３ａ上の各電極５１，５２（電極５２１〜５２４）および５３ａ，５３ｂ，５３ｃはすべて実線で示している。
【００８６】
この図１９から分かるように、スライド部１がホームポジションにあるときには、スライドベース部２の面２３ａ上の入力電極５１と、スライド部１の橋渡し電極６０の突出部分６１とが接続されるような位置関係となるように、入力電極５１がスライドベース部２の面２３ａ上に形成されている。
【００８７】
スライドベース部２の入力電極５２２は、スライドベース部２の中心を通る線上において、入力電極５１よりも外側の位置であって、ホームポジションでは、スライド部１の橋渡し電極６０のいずれの突出部分とも接続しないが、スライド部１が左方向に第２段階のスライド移動をしたと判断されるような距離だけ移動したときに、突出部分６１と接続するような位置に形成されている。
【００８８】
また、スライドベース部２の入力電極５２１および５２３は、入力電極５１の上および下の位置であって、ホームポジションでは、スライド部１の橋渡し電極６０のいずれの突出部分とも接続しないが、スライド部１が上方向または下方向に第２段階のスライド移動をしたと判断されるような距離だけ移動したときに、突出部分６１と接続するような位置に形成されている。
【００８９】
また、スライドベース部２の入力電極５２４は、ホームポジションでは、スライド部１の橋渡し電極６０のいずれの突出部分とも接続しないが、スライド部１が右方向に第２段階のスライド移動をしたと判断されるような距離だけ移動したときに、スライド部１の「上」の字形状の上の横線と縦の線との交差部の突出部分６４が、これに接続するような位置に形成されている。
【００９０】
また、スライドベース部２の出力電極５３ａは、ホームポジションでは、スライド部１の橋渡し電極６０のいずれの突出部分とも接続しないが、スライド部１が上方向に第１段階および第２段階のスライド移動をしたと判断されるような距離だけ移動したときに、スライド部１の「上」の字形状の上の横線の先端の突出部分６３が、これに接続し続けるような位置および大きさに形成されている。
【００９１】
また、スライドベース部２の出力電極５３ｂは、ホームポジションでは、スライド部１の橋渡し電極６０のいずれの突出部分とも接続しないが、スライド部１が下方向に第１段階および第２段階のスライド移動をしたと判断されるような距離だけ移動したときに、スライド部１の「上」の字形状の上の横線の先端の突出部分６３が、これに接続し続けるような位置および大きさに形成されている。
【００９２】
また、スライドベース部２の出力電極５３ａおよび５３ｂは、スライド部１が左方向に第１段階および第２段階のスライド移動をしたと判断されるような距離だけ移動したときに、スライド部１の「上」の字形状の中央の縦線の２個の突出部分６５および６６が、これらに接続し続けるような位置および大きさに形成されている。
【００９３】
また、スライドベース部の出力電極５３ｃは、ホームポジションでは、スライド部１の橋渡し電極６０のいずれの突出部分とも接続しないが、スライド部１が右方向に第１段階および第２段階のスライド移動をしたと判断されるような距離だけ移動したときに、スライド部１の「上」の字形状の下の横線の他方の先端の突出部分６２が、これに接続し続けるような位置および大きさに形成されている。
【００９４】
以上のように、スライド部１の橋渡し電極６０およびスライドベース部２の入力電極５１，５２（電極５２１，５２２，５２３，５２４）および出力電極５３ａ，５３ｂ，５３ｃが形成された第２の実施形態のスライド式入力操作装置５０を用いたスライド操作検出システムの構成図を図２０に示す。
【００９５】
この図２０は、図１０に示した第１の実施形態のスライド式入力操作装置１０を用いたスライド操作検出システムの構成図と全く同様に、第１信号発生部４１と、第２信号発生部４２とを設けると共に、この例では、入力操作判定部４４とを設ける。
【００９６】
そして、第１信号発生部４１の出力端子４１ａが、スライド式入力操作装置５０の入力電極５１に接続されて、第１信号発生部４１からの第１信号Ｓ１が入力電極５１に供給される。また、第２信号発生部４２の出力端子４２ａが、スライド式入力操作装置５０の入力電極５２に接続されて、第２信号発生部４２からの第１信号Ｓ２が入力電極５２に供給される。
【００９７】
そして、この第２の実施形態においても、第１信号Ｓ１は、図１１（Ａ）に示すように、定電圧信号とされ、また、第２信号は、図１１（Ｂ）に示すように、所定周波数のクロック信号とされる。第１信号および第２信号は、第２の実施形態においても、この図１１に示すような信号に限られるものではなく、入力操作判断部４３で両信号Ｓ１，Ｓ２を区別して認識することができるような２つの信号であれば、どのような信号の組み合わせであっても良い。
【００９８】
そして、スライド式入力操作装置５０の出力電極５３ａ，５３ｂ，５３ｃのそれぞれは、入力操作判断部４４の３個の入力端子４４ａ，４４ｂ，４４ｃに接続される。
【００９９】
入力操作判断部４４は、３個の入力端子４４ａ，４４ｂ，４４ｃのそれぞれへの入力信号の有無を判別し、入力信号が有ると判別した入力端子が３個の入力端子４４ａ，４４ｂ，４４ｃのどれであるかにより、操作者によるスライド式入力操作装置５０におけるスライド移動方向を判断する。
【０１００】
また、入力操作判断部４４は、入力信号が有ると判別して、スライド移動方向を判断したときには、その入力信号が第１信号Ｓ１か第２信号Ｓ２のいずれであるかを判別し、その判別結果により、第１段階のスライド移動状態か、第２段階のスライド移動状態かを判断する。
【０１０１】
そして、入力操作判断部４４は、以上の判断結果に基づいて、スライド移動の方向を示す情報と、第１段階のスライド移動状態または第２段階のスライド移動状態のいずれであるかを示す情報とを含む出力情報ＤＥＴを出力する。
【０１０２】
そして、例えばマイクロコンピュータや制御部が、この出力情報ＤＥＴを受けて、当該スライド移動方向および第１段階または第２段階のそれぞれに割り当てられて制御を実行するようにする。
【０１０３】
次に、スライド部１を上、下、左、右の各方向に、それぞれ第１段階のスライド移動および第２段階のスライド移動をさせたときの、スライド部１の橋渡し電極６０と、スライドベース部２の入力電極５１，５２および出力電極５３ａ，５３ｂ，５３ｃとの関係をも含めた状態の対応図を、図２１〜図２８に示す。なお、この図２１〜図２８においても、説明のために、スライドベース部２の入力電極５１，５２および出力電極５３ａ，５３ｂ，５３ｃ，５３ｄは、スライド部１に隠れる部分も実線で示している。
【０１０４】
図２１は、上方向への第１段階のスライド移動状態のときの、スライド部１の橋渡し電極６０と、スライドベース部２の入力電極５１，５２および出力電極５３ａ，５３ｂ，５３ｃとの位置関係を示している。この図２１に示すように、上方向への第１段階のスライド移動状態においては、橋渡し電極６０の突出部分６１が入力電極５１に接続されると共に、橋渡し電極６０の突出部分６３が出力電極５３ａに接続される。
【０１０５】
したがって、この上方向の第１段階のスライド移動状態のときには、出力電極５３ａのみから入力電極５１に供給される第１信号Ｓ１が得られることになる。
【０１０６】
すなわち、操作者が、スライド部１を上方向に第１段階のスライド移動操作をしたときには、スライド部１の橋渡し電極６０とスライドベース部２の入力電極５１，５２および出力電極５３ａ，５３ｂ，５３ｃとの位置関係は、図２１に示したようになるので、スライド式入力操作装置５０は、等価的に、図２９（Ａ）に示すようなスイッチ切換状態になり、入力電極５１と出力電極５３ａとが橋渡し電極６０を通じて接続される状態となる。よって、入力操作判断部４４では、入力端子４４ａに第１信号Ｓ１が入力されたと判別して、上方向の第１段階のスライド移動操作がなされたと判断される。
【０１０７】
次に、図２２は、上方向への第２段階のスライド移動状態のときの、スライド部１の橋渡し電極６０と、スライドベース部２の入力電極５１，５２および出力電極５３ａ，５３ｂ，５３ｃとの位置関係を示している。この図２２に示すように、上方向への第２段階のスライド移動状態においては、橋渡し電極６０の突出部分６１が入力電極５２の電極５２１に接続されると共に、橋渡し電極６０の突出部分６３が出力電極５３ａに接続される。
【０１０８】
したがって、この上方向の第２段階のスライド移動状態のときには、出力電極５３ａのみから入力電極５２に供給される第２信号Ｓ２が得られることになる。
【０１０９】
すなわち、操作者が、スライド部１を上方向に第２段階のスライド移動操作をしたときには、スライド部１の橋渡し電極６０とスライドベース部２の入力電極５１，５２および出力電極５３ａ，５３ｂ，５３ｃとの位置関係は、図２２に示したようになるので、スライド式入力操作装置５０は、等価的に、図２９（Ｂ）に示すようなスイッチ切換状態となり、入力電極５２と出力電極５３ａとが橋渡し電極６０を通じて接続される状態となる。よって、入力操作判断部４４では、入力端子４４ｂに第２信号Ｓ２が入力されたと判別して、上方向の第２段階のスライド移動操作がなされたと判断される。
【０１１０】
図２３は、下方向への第１段階のスライド移動状態のときの、スライド部１の橋渡し電極６０と、スライドベース部２の入力電極５１，５２および出力電極５３ａ，５３ｂ，５３ｃとの位置関係を示している。この図２３に示すように、下方向への第１段階のスライド移動状態においては、橋渡し電極６０の突出部分６１が入力電極５１に接続されると共に、橋渡し電極６０の突出部分６３が出力電極５３ｂに接続される。
【０１１１】
したがって、この下方向の第１段階のスライド移動状態のときには、出力電極５３ｂのみから入力電極５１に供給される第１信号Ｓ１が得られることになる。
【０１１２】
すなわち、操作者が、スライド部１を下方向に第１段階のスライド移動操作をしたときには、スライド部１の橋渡し電極６０とスライドベース部２の入力電極５１，５２および出力電極５３ａ，５３ｂ，５３ｃとの位置関係は、図２３に示したようになるので、スライド式入力操作装置５０は、等価的に、図３０（Ａ）に示すようなスイッチ切換状態になり、入力電極５１と出力電極５３ａとが橋渡し電極６０を通じて接続される状態となる。よって、入力操作判断部４４では、入力端子４４ｂに第１信号Ｓ１が入力されたと判別して、上方向の第１段階のスライド移動操作がなされたと判断される。
【０１１３】
次に、図２４は、下方向への第２段階のスライド移動状態のときの、スライド部１の橋渡し電極６０と、スライドベース部２の入力電極５１，５２および出力電極５３ａ，５３ｂ，５３ｃとの位置関係を示している。この図２４に示すように、下方向への第２段階のスライド移動状態においては、橋渡し電極６０の突出部分６１が入力電極５２の電極５２３に接続されると共に、橋渡し電極６０の突出部分６３が出力電極５３ｂに接続される。
【０１１４】
したがって、この下方向の第２段階のスライド移動状態のときには、出力電極５３ｂのみから入力電極５２に供給される第２信号Ｓ２が得られることになる。
【０１１５】
すなわち、操作者が、スライド部１を下方向に第２段階のスライド移動操作をしたときには、スライド部１の橋渡し電極６０とスライドベース部２の入力電極５１，５２および出力電極５３ａ，５３ｂ，５３ｃとの位置関係は、図２４に示したようになるので、スライド式入力操作装置５０は、等価的に、図３０（Ｂ）に示すようなスイッチ切換状態となり、入力電極５２と出力電極５３ｂとが橋渡し電極６０を通じて接続される状態となる。よって、入力操作判断部４４では、入力端子４４ｂに第２信号Ｓ２が入力されたと判別して、上方向の第２段階のスライド移動操作がなされたと判断される。
【０１１６】
図２５は、右方向への第１段階のスライド移動状態のときの、スライド部１の橋渡し電極６０と、スライドベース部２の入力電極５１，５２および出力電極５３ａ，５３ｂ，５３ｃとの位置関係を示している。この図２５に示すように、右方向への第１段階のスライド移動状態においては、橋渡し電極６０の突出部分６１が入力電極５１に接続されると共に、橋渡し電極６０の突出部分６２が出力電極５３ｃに接続される。
【０１１７】
したがって、この右方向の第１段階のスライド移動状態のときには、出力電極５３ｃのみから入力電極５１に供給される第１信号Ｓ１が得られることになる。
【０１１８】
すなわち、操作者が、スライド部１を右方向に第１段階のスライド移動操作をしたときには、スライド部１の橋渡し電極６０とスライドベース部２の入力電極５１，５２および出力電極５３ａ，５３ｂ，５３ｃとの位置関係は、図２５に示したようになるので、スライド式入力操作装置５０は、等価的に、図３１（Ａ）に示すようなスイッチ切換状態になり、入力電極５１と出力電極５３ｃとが橋渡し電極６０を通じて接続される状態となる。よって、入力操作判断部４４では、入力端子４４ｃに第１信号Ｓ１が入力されたと判別して、上方向の第１段階のスライド移動操作がなされたと判断される。
【０１１９】
次に、図２６は、右方向への第２段階のスライド移動状態のときの、スライド部１の橋渡し電極６０と、スライドベース部２の入力電極５１，５２および出力電極５３ａ，５３ｂ，５３ｃとの位置関係を示している。この図２７に示すように、右方向への第２段階のスライド移動状態においては、橋渡し電極６０の突出部分６４が入力電極５２の電極５２４に接続されると共に、橋渡し電極６０の突出部分６２が出力電極５３ｃに接続される。
【０１２０】
したがって、この右方向の第２段階のスライド移動状態のときには、出力電極５３ｃのみから入力電極５２に供給される第２信号Ｓ２が得られることになる。
【０１２１】
すなわち、操作者が、スライド部１を右方向に第２段階のスライド移動操作をしたときには、スライド部１の橋渡し電極６０とスライドベース部２の入力電極５１，５２および出力電極５３ａ，５３ｂ，５３ｃとの位置関係は、図２６に示したようになるので、スライド式入力操作装置５０は、等価的に、図３１（Ｂ）に示すようなスイッチ切換状態となり、入力電極５２と出力電極５３ｃとが橋渡し電極６０を通じて接続される状態となる。よって、入力操作判断部４４では、入力端子４４ｃに第２信号Ｓ２が入力されたと判別して、右方向の第２段階のスライド移動操作がなされたと判断される。
【０１２２】
図２７は、左方向への第１段階のスライド移動状態のときの、スライド部１の橋渡し電極６０と、スライドベース部２の入力電極５１，５２および出力電極５３ａ，５３ｂ，５３ｃとの位置関係を示している。この図２７に示すように、左方向への第１段階のスライド移動状態においては、橋渡し電極６０の突出部分６１が入力電極５１に接続されると共に、橋渡し電極６０の突出部分６５および６６が出力電極５３ａおよび５３ｂにそれぞれ接続される。
【０１２３】
したがって、この左方向の第１段階のスライド移動状態のときには、出力電極５３ａおよび出力電極５３ｂから入力電極５１に供給される第１信号Ｓ１が、共に得られることになる。
【０１２４】
すなわち、操作者が、スライド部１を左方向に第１段階のスライド移動操作をしたときには、スライド部１の橋渡し電極６０とスライドベース部２の入力電極５１，５２および出力電極５３ａ，５３ｂ，５３ｃとの位置関係は、図２７に示したようになるので、スライド式入力操作装置５０は、等価的に、図３２（Ａ）に示すようなスイッチ切換状態になり、入力電極５１と出力電極５３ａおよび５３ｂとが橋渡し電極６０を通じて接続される状態となる。よって、入力操作判断部４４では、入力端子４４ａおよび４４ｂに第１信号Ｓ１が入力されたと判別して、左方向の第１段階のスライド移動操作がなされたと判断される。
【０１２５】
次に、図２８は、左方向への第２段階のスライド移動状態のときの、スライド部１の橋渡し電極６０と、スライドベース部２の入力電極５１，５２および出力電極５３ａ，５３ｂ，５３ｃとの位置関係を示している。この図２８に示すように、左方向への第２段階のスライド移動状態においては、橋渡し電極６０の突出部分６１が入力電極５２の電極５２２に接続されると共に、橋渡し電極６０の突出部分６５および６６が出力電極５３ａおよび５３ｂに接続される。
【０１２６】
したがって、この左方向の第２段階のスライド移動状態のときには、出力電極５３ａおよび５３ｂから入力電極５２に供給される第２信号Ｓ２が、共に得られることになる。
【０１２７】
すなわち、操作者が、スライド部１を左方向に第２段階のスライド移動操作をしたときには、スライド部１の橋渡し電極６０とスライドベース部２の入力電極５１，５２および出力電極５３ａ，５３ｂ，５３ｃとの位置関係は、図２８に示したようになるので、スライド式入力操作装置５０は、等価的に、図３２（Ｂ）に示すようなスイッチ切換状態となり、入力電極５２と出力電極５３ａおよび５３ｂとが橋渡し電極６０を通じて接続される状態となる。よって、入力操作判断部４４では、入力端子４４ａおよび４４ｂに第２信号Ｓ２が入力されたと判別して、左方向の第２段階のスライド移動操作がなされたと判断される。
【０１２８】
入力操作判断部４４における、入力端子４４ａ，４４ｂ，４４ｃへの入力信号の有無と、スライド移動方向との関係を、図３３に示す。図３３において、「０」は、入力端子への入力信号がない状態を示し、「１」は、入力端子への入力信号がある状態をそれぞれ示している。図３３で、移動方向において、「Ｎｏｎ」とされているのは、スライド移動の方向とは判断しないことを示している。
【０１２９】
なお、入力操作判断部４４は、図３３に基づいて、スライド移動方向が判断されたときには、そのときの入力信号を判別し、入力信号が第１信号Ｓ１であると判別したときには、第１段階のスライド移動であると判断し、第２信号Ｓ２であると判別したときには、第２段階のスライド移動であると判断する。
【０１３０】
なお、この第２の実施形態においても、第１の実施形態の場合と同様に、上述した第１信号発生部４１、第２信号発生部４２および入力操作判断部４４は、マイクロコンピュータで構成することが可能である。
【０１３１】
なお、上述したように、上述の第１および第２の実施形態においては、スライド部１およびスライドベース部２の全体を押下することで、押下スイッチ３４をオン・オフすることができるので、この押下スイッチ３４のオン・オフ出力を決定操作出力としたり、操作の方向に応じた項目の選択操作出力としたりなど、種々の操作指示の用途に使用することができる。
【０１３２】
［その他の変形例］
上述の実施形態のスライド１およびスライドベース部２の電極配置は、一例であって、これに限定されるわけではないことは言うまでもない。
【０１３３】
また、スライド部１の操作面１４の形状は、上述の実施形態では、円形としたが、スライド移動方向を多角形の角方向と、各辺の中点方向になるような多角形形状とするようにしても良い。また、多角形の角方向のみ、あるいは、辺の中点方向のみがスライド移動方向に対応するような多角形形状であってもよい。
【産業上の利用可能性】
【０１３４】
この発明によるスライド式入力操作装置は、種々の電子機器の操作入力手段として用いることができるが、特に、例えば携帯電話端末用やＰＤＡ（Ｐｅｒｓｏｎａｌ  Ｄｉｇｉｔａｌ  Ａｓｓｉｓｔａｎｔｓ）などの携帯情報端末の操作入力手段として用いると好適である。
【図面の簡単な説明】
【０１３５】
【図１】この発明によるスライド式入力操作装置の第１の実施形態の一例の全体の概要を説明するための図である。
【図２】図３のＢ−Ｂ線断面図である。
【図３】図１のＡ−Ａ線断面図である。
【図４】スライド式入力操作装置の第１の実施形態におけるスライド部１の電極の例を示す図である。
【図５】スライド式入力操作装置の第１の実施形態におけるスライドベース部２の電極の例を示す図である。
【図６】スライド式入力操作装置の第１の実施形態におけるスライド部１の橋渡し電極と、スライドベース部の電極との電気的接続状態を説明するための図である。
【図７】スライド式入力操作装置の第１の実施形態において、スライド部１がホームポジションにあるときの、スライド部およびスライドベース部の電極の位置関係を説明するための図である。
【図８】この発明によるスライド式入力操作装置の第１の実施形態における上方向の第１段階のスライド移動状態における電極接続関係を説明するための図である。
【図９】この発明によるスライド式入力操作装置の第１の実施形態における上方向の第２段階のスライド移動状態における電極接続関係を説明するための図である。
【図１０】この発明によるスライド式入力操作装置の第１の実施形態を用いたスライド移動検出システムのシステム構成例のブロック図である。
【図１１】この発明によるスライド式入力操作装置の実施形態における２個の入力電極に入力する信号の例を説明するための図である。
【図１２】この発明によるスライド式入力操作装置の第１の実施形態における出力電極の信号出力状態と、スライド移動方向との関係を説明するための図である。
【図１３】この発明によるスライド式入力操作装置の第１の実施形態において、上方向のスライド移動方向をしたときの等価回路を示す図である。
【図１４】この発明によるスライド式入力操作装置の第１の実施形態において、下方向のスライド移動方向をしたときの等価回路を示す図である。
【図１５】この発明によるスライド式入力操作装置の第１の実施形態において、左方向のスライド移動方向をしたときの等価回路を示す図である。
【図１６】この発明によるスライド式入力操作装置の第１の実施形態において、右方向のスライド移動方向をしたときの等価回路を示す図である。
【図１７】スライド式入力操作装置の第２の実施形態におけるスライドベース部２の電極の例を示す図である。
【図１８】スライド式入力操作装置の第２の実施形態におけるスライド部１の電極の例を示す図である。
【図１９】スライド式入力操作装置の第２の実施形態において、スライド部１がホームポジションにあるときの、スライド部およびスライドベース部の電極の位置関係を説明するための図である。
【図２０】この発明によるスライド式入力操作装置の第２の実施形態を用いたスライド移動検出システムのシステム構成例のブロック図である。
【図２１】この発明によるスライド式入力操作装置の第２の実施形態における上方向の第１段階のスライド移動状態における電極接続関係を説明するための図である。
【図２２】この発明によるスライド式入力操作装置の第２の実施形態における上方向の第２段階のスライド移動状態における電極接続関係を説明するための図である。
【図２３】この発明によるスライド式入力操作装置の第２の実施形態における下方向の第１段階のスライド移動状態における電極接続関係を説明するための図である。
【図２４】この発明によるスライド式入力操作装置の第２の実施形態における下方向の第２段階のスライド移動状態における電極接続関係を説明するための図である。
【図２５】この発明によるスライド式入力操作装置の第２の実施形態における右方向の第１段階のスライド移動状態における電極接続関係を説明するための図である。
【図２６】この発明によるスライド式入力操作装置の第２の実施形態における右方向の第２段階のスライド移動状態における電極接続関係を説明するための図である。
【図２７】この発明によるスライド式入力操作装置の第２の実施形態における左方向の第１段階のスライド移動状態における電極接続関係を説明するための図である。
【図２８】この発明によるスライド式入力操作装置の第２の実施形態における左方向の第２段階のスライド移動状態における電極接続関係を説明するための図である。
【図２９】この発明によるスライド式入力操作装置の第２の実施形態において、上方向のスライド移動方向をしたときの等価回路を示す図である。
【図３０】この発明によるスライド式入力操作装置の第２の実施形態において、下方向のスライド移動方向をしたときの等価回路を示す図である。
【図３１】この発明によるスライド式入力操作装置の第２の実施形態において、右方向のスライド移動方向をしたときの等価回路を示す図である。
【図３２】この発明によるスライド式入力操作装置の第２の実施形態において、左方向のスライド移動方向をしたときの等価回路を示す図である。
【図３３】この発明によるスライド式入力操作装置の第２の実施形態における出力電極の信号出力状態と、スライド移動方向との関係を説明するための図である。
【符号の説明】
【０１３６】
１…スライド部、２…スライドベース部、３…基台部、１１…中心柱部材、１２ａ，１２ｂ，１２ｃ，１２ｄ，１２ｅ，１２ｆ，１２ｇ，１２ｈ，１２ｉ，１２ｊ…棒状突部、１３ａ，１３ｂ，１３ｃ，１３ｄ，１３ｅ，１３ｆ，１３ｇ，１３ｈ，１３ｉ，１３ｊ…電極、２２…ばね、２３ａ，２３ｂ，２３ｃ，２３ｄ，２３ｅ，２３ｆ，２３ｇ，２３ｈ，２３ｉ，２３ｊ…スライド補助溝、２４ａ，２４ｂ，２４ｃ，２４ｄ，２４ｅ，２４ｆ，２４ｇ，２４ｈ，２４ｉ，２４ｊ…段高部、２５ａ，２５ｂ，２５ｃ，２５ｄ，２５ｅ，２５ｆ，２５ｇ，２５ｈ，２５ｉ…電極、２６，２７…係止用凹穴
【図１】
2008177105.tif 000003
【図２】
2008177105.tif 000004
【図３】
2008177105.tif 000005
【図４】
2008177105.tif 000006
【図５】
2008177105.tif 000007
【図６】
2008177105.tif 000008
【図７】
2008177105.tif 000009
【図８】
2008177105.tif 000010
【図９】
2008177105.tif 000011
【図１０】
2008177105.tif 000012
【図１１】
2008177105.tif 000013
【図１２】
2008177105.tif 000014
【図１３】
2008177105.tif 000015
【図１４】
2008177105.tif 000016
【図１５】
2008177105.tif 000017
【図１６】
2008177105.tif 000018
【図１７】
2008177105.tif 000019
【図１８】
2008177105.tif 000020
【図１９】
2008177105.tif 000021
【図２０】
2008177105.tif 000022
【図２１】
2008177105.tif 000023
【図２２】
2008177105.tif 000024
【図２３】
2008177105.tif 000025
【図２４】
2008177105.tif 000026
【図２５】
2008177105.tif 000027
【図２６】
2008177105.tif 000028
【図２７】
2008177105.tif 000029
【図２８】
2008177105.tif 000030
【図２９】
2008177105.tif 000031
【図３０】
2008177105.tif 000032
【図３１】
2008177105.tif 000033
【図３２】
2008177105.tif 000034
【図３３】
2008177105.tif 000035